(57)【要約】【課題】  遊技盤の剛性低下を防止すること。【解決手段】  ひさし部品６及びステージ部品７は遊技盤１の前面１ａに取り付けられ、中央装飾装置８は遊技盤１の背面１ｂに取り付けられて、センター役物５を構成する。センター役物５の一部となる中央装飾装置８が遊技盤１の背面１ｂに取り付けられているので、遊技盤１には中央装飾装置８を取り付けるための開口を設ける必要がなく、そうした開口による遊技盤１の剛性の低下を回避できる。遊技盤１の板厚を大きくしたり、補強リブ等を設けたりせずとも、釘調整が可能なだけの遊技盤１の剛性を確保できる。【選択図】図４
2008000544.tif 000002
【特許請求の範囲】
【請求項１】
透光性の盤本体に入賞装置と装飾装置とが取り付けられた遊技盤において、
前記装飾装置のいずれか１以上は前記盤本体の背面に取り付けられている
ことを特徴とする遊技盤。
【請求項２】
前記盤本体の背面に取り付けられている装飾装置は、表示装置の画面を臨ませるための画面枠を備えていることを特徴とする請求項１記載の遊技盤。
【請求項３】
前記盤本体の背面に取り付けられている装飾装置は、発光体を備える電飾装置であることを特徴とする請求項１記載の遊技盤。
【請求項４】
前記盤本体の背面に取り付けられている装飾装置には、前記盤本体の前面から流入してきた遊技球を前記前面に戻すためのワープ通路が設けられていることを特徴とする請求項１記載の遊技盤。
【請求項５】
前記盤本体の背面に取り付けられている装飾装置はねじによって前記盤本体に取り付けられており、
前記盤本体の前面には、前記ねじを隠すための遮蔽部品が取り付けられている
ことを特徴とする請求項１〜４のいずれか記載の遊技盤。
【請求項６】
前記遮蔽部品は、上方から落下してきた遊技球を側方へ誘導するための傾斜を有するひさし部品である
ことを特徴とする請求項５記載の遊技盤。
【請求項７】
前記遮蔽部品は、遊技球を上面で遊動させて前縁から落下させるステージ部品である
ことを特徴とする請求項５記載の遊技盤。
【請求項８】
前記盤本体の背面に取り付けられている装飾装置と前記遮蔽部品とは、前記遮蔽部品に設けられて前記盤本体に開けられたボス穴に挿通されたボスに螺入したねじによって連結されて前記盤本体に取り付けられている
ことを特徴とする請求項５〜７のいずれか記載の遊技盤。
【発明の詳細な説明】
【技術分野】
【０００１】
本発明は、パチンコ機等の弾球遊技機の技術分野に属する。
【背景技術】
【０００２】
パチンコ機等の弾球遊技機において、透明な合成樹脂製の遊技盤が使用されることがある（例えば特開２００５−３１２４７１号公報）。
【特許文献１】特開２００５−３１２４７１号公報
【発明の開示】
【発明が解決しようとする課題】
【０００３】
特許文献１に開示されているような透明な遊技盤を採用すると、その背後に表示装置を配置して、例えば遊技盤面のほぼ全域を画像表示に使用することができる等、画像表示の位置や大きさなどで大幅な自由度が得られる。但し、装飾部品、例えば周知のセンター役物等を装備すると上記の自由度が制約されるので、センター役物に代えて単にひさしとステージを取り付けるだけというような構成が採用されていた。
【０００４】
しかし、画像表示の位置や大きさなどで制約があるとしても、装飾性や迫力を重視してセンター役物を装着したいという要望もある。この場合、センター役物を取り付けるための開口を遊技盤に設けて、その開口から表示装置の画面を臨ませるので、必ずしも遊技盤が透明でなくてもよいことになる。しかし、画像表示以外でも透明にしたことによる効果（例えば単に透明にしただけでも遊技者に新鮮さを感じさせられる。）もあるので、透明な遊技盤とセンター役物という組み合わせにすることがある。
【０００５】
ところが、センター役物を取り付けるための開口を設けると、その分だけ遊技盤の剛性が低下するので、周知の釘調整にあたって遊技釘をハンマで叩いたときに遊技盤が弾性的に（板ばねのように）変形してしまって、ハンマの打撃力が遊技釘を曲げる力として有効に作用しないことがある。この剛性の低下（ばね性の高まり）は、開口が大きくなったり、開口の箇所数が増したりすればより顕著になる。つまり、剛性の低下を避けるためには、センター役物用ばかりでなく、他の装飾部品（例えばサイド飾り）用の開口や、或いは入賞装置のための開口も、できるだけ少なくまた小さくするのが望ましい。勿論、板厚を大きくしたり、補強リブ等を設けたりすれば剛性の低下を補えるが、これらの手法はコスト高になるし、補強リブ等は透明にした効果を損なうことにもなる。
【課題を解決するための手段】
【０００６】
請求項１記載の遊技盤は、透光性の盤本体に入賞装置と装飾装置とが取り付けられた遊技盤において、前記装飾装置のいずれか１以上は前記盤本体の背面に取り付けられていることを特徴とするので、この盤本体の背面に取り付けられている装飾装置を取り付けるための開口を盤本体に設ける必要がない。従って、開口による盤本体の剛性の低下を回避できる。装飾装置を取り付けるための開口の数をできるだけ少なくすることができ、板厚を大きくしたり、補強リブ等を設けたりせずとも、釘調整が可能なだけの盤本体の剛性を確保できる。
【０００７】
盤本体の背面に取り付けられている装飾装置としては、表示装置の画面を臨ませるための画面枠を備える装飾装置（請求項２記載）や発光体を備える電飾装置（請求項３記載）が例示されるが、これらに限るわけではない。
【０００８】
請求項２記載の画面枠を備える装飾装置は、従来のセンター役物に相当すると言える。この請求項２記載の装飾装置や請求項３記載の電飾装置は、電気配線（いわゆるハーネス）と接続されるが、その接続場所が盤本体の背後になるので、ハーネスを通すための穴を盤本体に設ける必要がなく、この点においても盤本体の剛性の低下を回避できる。また、ハーネスの接続作業や故障等での点検、交換作業も容易になる。
【０００９】
盤本体の背面に取り付けられている装飾装置には、請求項４記載のように、前記盤本体の前面から流入してきた遊技球を前記前面に戻すためのワープ通路を設けることができる。なお、盤本体の背面に取り付けられている装飾装置にワープ通路の全部（流入口から放出口まで）が設けられている必要はなく、その一部だけであってもよい。ワープ通路を設けることにより、盤本体の背面に取り付けられている装飾装置を遊技球の誘導に使用でき、遊技球の経路を変化に富んだものにできる。
【００１０】
盤本体の背面に取り付けられている装飾装置は、請求項５記載のように、ねじ（ビス、ボルト等）によって前記盤本体に取り付けるのが簡便であり、また交換や廃棄時の取り外しも容易である。その場合、前記盤本体の前面に、前記ねじを隠すための遮蔽部品を取り付ければ、ねじによって美観を損なわれるのを防止できる。
【００１１】
遮蔽部品は単なる装飾部品であってもよいが、上方から落下してきた遊技球を側方へ誘導するための傾斜を有するひさし部品（請求項６記載）や、遊技球を上面で遊動させて前縁から落下させるステージ部品（請求項７記載）にして、遊技球を誘導するためのを遮蔽部品として兼用でき、部品数の増加を避けることができる。
【００１２】
遮蔽部品を用いる場合、請求項８記載のように、前記盤本体の背面に取り付けられている装飾装置と前記遮蔽部品とは、前記遮蔽部品に設けられて前記盤本体に開けられたボス穴に挿通されたボスに螺入したねじによって連結されて前記盤本体に取り付けられている構成にすれば、１本のねじを盤本体の背面に取り付けられている装飾装置及び遮蔽部品の取付に共用でき、ねじ締めの工数も抑制できる。
【発明を実施するための最良の形態】
【００１３】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すのは本実施例の遊技盤１の正面図である。遊技盤１はパチンコ機用で、透明な合成樹脂製（本実施例ではアクリル製）である。なお、この遊技盤１が装着されるパチンコ機の構成は公知技術に従っているので図示及び説明は省略する。
【００１４】
この遊技盤１には、ガイドレール２によって囲まれた略円形の遊技領域３が設けられている。この遊技領域３には多数の遊技釘４が打ち付けられている。
遊技領域３の中央部にはセンター役物５が配されている。詳細は後述するが、このセンター役物５は、遊技盤１の前面に取り付けられたひさし部品６及びステージ部品７と、遊技盤１の背面に取り付けられた中央装飾装置８とで構成されている。また、遊技盤１には中央装飾装置８とステージ部品７とを連通状態にするための開口９が設けられている。
【００１５】
センター役物５の下方には、第１始動口１１と第２始動口１２とがユニット化された複合入賞装置１３が配置されている。第１始動口１１は、いわゆるチャッカーであり、常時入球可能である。第２始動口１２は一対の羽根を備えた、いわゆる電動チューリップであり、周知の電動チューリップと同様に開閉変化する。
【００１６】
第２始動口１２の上方に第１始動口１１があるために、第２始動口１２が閉鎖状態（図１参照）のときは、第２始動口１２に遊技球を入球させることができない。しかし、遊技球がセンター役物５の向かって左横に配置されている普通図柄作動ゲート１４を通過すると行われる、普通図柄抽選で当たりなって普通図柄表示装置に当たりの普通図柄が確定表示されると、第２始動口１２は開放されて入球容易になる。
【００１７】
複合入賞装置１３の下方にはアタッカー式の大入賞口１６が配置され、その下方にはアウト穴１７が設けられている。
大入賞口１６の左右には、ガイドレール２に沿うようにして普通入賞口１８が配置されている。また、普通入賞口１８のガイドレール２沿いの上側にはサイド電飾１９が配置されている。
【００１８】
図２に示すように、ひさし部品６とステージ部品７とは、環状に組み合わせられている。
ひさし部品６は、取付ベース３１に設けられているビス穴３２に通したビス（図示略）にて、図４に示すように遊技盤１の前面１ａに取り付けられている。同様にステージ部品７も、取付ベース６１に設けられているビス穴６２に通したビス（図示略）にて遊技盤１の前面１ａに取り付けられている。
【００１９】
ひさし部品６の取付ベース３１の前面には突出部３３が取り付けられている。突出部３３の上半部は、上方から落下してきた遊技球を左右の側方へ誘導するための誘導傾斜部３４となっている。また誘導傾斜部３４の下方には遊技領域３から遊技球を流入させるためのワープ入口３５が開口している。ワープ入口３５から流入した遊技球は、突出部３３の内部に設けられている通路（図示略）を通り、遊技盤１に設けられたワープ通過口３６を通過して、図３に示す流入口３８から中央装飾装置８に流入する。
【００２０】
図３に示すように、中央装飾装置８は取付ベース４１を備えている。中央装飾装置８は、取付ベース４１に設けられているビス穴４２に通したビス（図示略）にて、図４に示すように遊技盤１の背面１ｂに取り付けられている。
【００２１】
中央装飾装置８の中央部には、略長方形の画面窓４３が設けられている。この画面窓４３は、センター役物５の背部（中央装飾装置８）に取り付けられた液晶表示装置（図示略）の画面を臨ませるための開口である。従って、中央装飾装置８の画面窓４３を形成している枠状の部分が画面枠に該当する。
【００２２】
画面窓４３の上辺及び左右縦辺の外側には装飾体配置部４４が凹陥状に設けられている。この装飾体配置部４４の上部中央には球形の装飾体４５が配され、その左右から縦辺沿いに竜の装飾体４６が配されている。
【００２３】
装飾体４５は内部に光源（本実施例ではＬＥＤ）を備える電飾であり、また外皮部分が開閉する可動装飾体でもある。装飾体４６は背後に光源（本実施例ではＬＥＤ）を備える電飾である。中央装飾装置８の背部には、装飾体４５を駆動するためのモータ等を収容する収容部４７やＬＥＤのための配線基板４８が配されている。
【００２４】
一方、画面窓４３の下側には、流入口３８から流入してきた遊技球を遊動させるための奥ステージ４９が設けられている。この奥ステージ４９の中央部には誘導溝５１が設けられている。流入口３８から流入してきた遊技球は奥ステージ４９上を転動して、誘導溝５１又は誘導溝５１の左右前縁から前方に移動する。
【００２５】
中央装飾装置８の前方には遊技盤１が存在するが、奥ステージ４９の前方になる部分には上述の開口９が位置している。
また、上述したようにステージ部品７が遊技盤１の前面１ａに取り付けられているが、取付ベース６１の背後には、誘導樋６４と前ステージ６５とが連接されており、誘導樋６４は誘導溝５１に接続され、前ステージ６５の後端は奥ステージ４９の前端に接続されている。
【００２６】
このため、奥ステージ４９上を転動して誘導溝５１に入った遊技球は、誘導樋６４を通って、取付ベース６１の落下口６６から遊技領域３に落下する。奥ステージ４９の前縁（誘導溝５１以外）から前方に移動した遊技球は、前ステージ６５上を転動して、それらの多くは前ステージ６５の前縁から遊技領域３に落下するが、希には前ステージ６５から誘導樋６４に入って落下口６６から落下するものもある。
【００２７】
上述の通り、ひさし部品６及びステージ部品７は遊技盤１の前面１ａに取り付けられ、中央装飾装置８は遊技盤１の背面１ｂに取り付けられて、図４及び図５に示すようにセンター役物５を構成する。
【００２８】
このように、遊技盤１には複合入賞装置１３、大入賞口１６、普通入賞口１８やセンター役物５、サイド電飾１９等が取り付けられているが、センター役物５の一部となる中央装飾装置８が遊技盤１の背面１ｂに取り付けられているので、遊技盤１には中央装飾装置８を取り付けるための開口を設ける必要がない。従って、そのような開口による遊技盤１の剛性の低下を回避できる。そのため遊技盤１に設ける開口の数を少なくすることができ、遊技盤１の板厚を大きくしたり、補強リブ等を設けたりせずとも、釘調整が可能なだけの遊技盤１の剛性を確保できる。
【００２９】
中央装飾装置８は、ＬＥＤやモータを備えているので、そのための電気配線（いわゆるハーネス）と接続されるが、その接続場所が遊技盤１の背後になるので、ハーネスを通すための穴を遊技盤１に設ける必要がなく、この点においても遊技盤１の剛性の低下を回避できる。また、ハーネスの接続作業や故障等での点検、交換作業も容易になる。
【００３０】
中央装飾装置８には、遊技領域３からひさし部品６のワープ入口３５に流入し、突出部３３の内部を通り、遊技盤１に設けられたワープ通過口３６を通過してきた遊技球を流入させる流入口３８が設けられており、さらに流入口３８から流入した遊技球を遊技盤１の前面（遊技領域３）に戻すための奥ステージ４９等も設けられている。すなわち、流入口３８、奥ステージ４９等で構成されるワープ通路が設けられている。こうしたワープ通路を設けることにより、遊技盤１の背面１ｂに取り付けられた中央装飾装置８を遊技球の誘導に使用でき、遊技球の経路を変化に富んだものにできる。
【００３１】
中央装飾装置８は、ビスによって遊技盤１に取り付けられているが、そのビスのいくつかはひさし部品６によって隠される（ひさし部品６は遮蔽部品となっている）ので、ビスによって美観を損なわれるのを防止できる。なお、ステージ部品７も遮蔽部品とすることができる。
【００３２】
また、本実施例ではそのようにはなっていないが、遮蔽部品（ひさし部品６又はステージ部品７）と中央装飾装置８とを、遮蔽部品に設けられて遊技盤１に開けられたボス穴に挿通されたボスに螺入したねじによって連結して遊技盤１に取り付ける構成にすれば、１本のねじを中央装飾装置８及び遮蔽部品の取付に共用でき、ねじ締めの工数も抑制できる。
【００３３】
なお、実施例ではセンター役物５の中央装飾装置８を遊技盤１の背面１ｂに取り付けているが、例えばサイド電飾９も同様に遊技盤１の背面１ｂに取り付けることができるし、これら以外の装飾装置も同様である。
【図面の簡単な説明】
【００３４】
【図１】実施例の遊技盤の正面図。
【図２】遊技盤の前面に取り付けられるひさし部品とステージ部品の正面図。
【図３】遊技盤の背面に取り付けられる中央装飾装置の正面図。
【図４】センター役物の側面図。
【図５】センター役物の正面図。
【符号の説明】
【００３５】
１・・・遊技盤、１ａ・・・前面、１ｂ・・・背面、５・・・センター役物、６・・・ひさし部品、７・・・ステージ部品、８・・・中央装飾装置、１１・・・第１始動口、１２・・・第２始動口、１３・・・複合入賞装置、１６・・・大入賞口、１８・・・普通入賞口、１９・・・サイド電飾、３１・・・取付ベース、３２・・・ビス穴、３３・・・突出部、３４・・・誘導傾斜部、３５・・・ワープ入口、３６・・・ワープ通過口、３８・・・流入口、４１・・・取付ベース、４２・・・ビス穴、４３・・・画面窓、４４・・・装飾体配置部、４５、４６・・・装飾体、４７・・・収容部、４８・・・配線基板、４９・・・奥ステージ、５１・・・誘導溝、６１・・・取付ベース、６２・・・ビス穴、６４・・・誘導樋、６５・・・前ステージ、６６・・・落下口。
【図１】
2008000544.tif 000003
【図２】
2008000544.tif 000004
【図３】
2008000544.tif 000005
【図４】
2008000544.tif 000006
【図５】
2008000544.tif 000007